(57)【要約】  座席システム用座席要素（１）を開示する。この座席要素（１）は、据え付け状態において、座席のブラケット及び／又は座面部分全域に亘り実質的に延在する。この座席要素（１）は、付加的な座席機能を得るために、機能性要素を受け入れる機器（１２〜２１）を含む。このようなモジュラー座席システムによれば、簡単な方法で、座席特に車両の座席の様々な装備品を得ることが可能となる。
2008525071.tif 000002
【特許請求の範囲】
【請求項１】
座席への装着用座部取付要素（１）であって、該座部取付要素（１）は、該座席に装着された状態にある時に、座席ブラケット及び／又は該座席の座面全域に亘り実質的に延在するように寸法が決められており、また該座部取付要素（１）は、付加的な座席機能を利用できるように、機能性要素（２５，２６，２７，３０，３１，３２）を受け入れる受け部（１２〜２１）、３３）を含むことを特徴とする座部取付要素（１）。
【請求項２】
前記座部取付要素（１）は、人間工学的な圧力分散を利用できるように、着座した人間の形状に実質的に適応させられた形状を有することを特徴とする請求項１に記載の座部取付要素（１）。
【請求項３】
前記座部取付要素（１）はプラスチックから製造されることを特徴とする請求項１又は２に記載の座部取付要素（１）。
【請求項４】
前記座部取付要素（１）は、装着状態にある時に、実質的に前記座席ブラケット及び前記座席の座面全域に亘り延在すると共に、該座部取付要素（１）のブラケット部（２）及び該座部取付要素（１）の座面部（３）は、統合手段（４）によって連結されることを特徴とする請求項１乃至３のいずれか一項に記載の座部取付要素（１）。
【請求項５】
前記統合手段（４）は、フィルムヒンジを含むことを特徴とする請求項４に記載の座部取付要素（１）。
【請求項６】
前記座部取付要素（１）は少なくとも１個のアーチ形成部（５，６，７）を含み、該少なくとも１個のアーチ形成部（５，６，７）に隣接して、該アーチ形成部（５，６，７）の凸部を設定する機能性要素のための受け部（３３）が載置されることを特徴とする請求項１乃至５のいずれか一項に記載の座部取付要素（１）。
【請求項７】
前記少なくとも１個のアーチ形成部（５，６，７）は、前記座部取付部（１）の座面部分、腰部分、胸部分、及び／又は肩／首部分に載置されることを特徴とする請求項６に記載の座部取付要素（１）。
【請求項８】
前記少なくとも１個のアーチ形成部（５，６，７）にアーチ形状を付与する機能性要素（２５，２６，２７）の受け部は、該少なくとも１個のアーチ形成部（６，５，７）にアーチ形状を付与する機能性要素（２５，２６，２７）を案内するガイド（３３）を含むことを特徴とする請求項６又は７に記載の座部取付要素（１）。
【請求項９】
前記ガイドは、前記機能性要素（２５，２６，２７）を案内するワイヤ（３３）を含むことを特徴とする請求項８に記載の座部取付要素（１）。
【請求項１０】
前記座部取付要素（１）は、電流を供給し、及び／又は前記受け部に受け入れられ得る機能性要素を制御するための少なくとも１個の電線を含むことを特徴とする請求項１乃至９のいずれか一項に記載の座部取付要素（１）。
【請求項１１】
前記座部取付要素（１）は、少なくとも１個の空気ガイド（２２）を含むことを特徴とする請求項１乃至１０のいずれか一項に記載の座部取付要素（１）。
【請求項１２】
前記少なくとも１個の空気ガイドは、通気目的用機能性要素（３０）の受け部（１６，１７）の少なくとも１個を、少なくとも１個の通気開口（２３，２４）に連結することを特徴とする請求項１１に記載の座部取付要素（１）。
【請求項１３】
前記少なくとも１個の通気開口（２３，２４）は、前記座部取付要素（１）の一方側に通気開口（２３）を含むことを特徴とする請求項１２に記載の座部取付要素（１）。
【請求項１４】
前記座部取付要素（１）は、前記少なくとも１個の空気ガイド（２２）に結合されると共に、座席上での乗員の動作に基づいて、空気を前記少なくとも１個の空気ダクト（２２）を介して送り出すように構成された受動ポンプ手段を含むことを特徴とする請求項１１乃至１３のいずれか一項に記載の座部取付要素（１）。
【請求項１５】
前記座部取付要素（１）は側片（８〜１１）を含むことを特徴とする請求項１乃至１４のいずれか一項に記載の座部取付要素（１）。
【請求項１６】
前記受け部は、前記側片（８〜１１）を調整する機能性要素の受け部を含むことを特徴とする請求項１５に記載の座部取付要素（１）。
【請求項１７】
前記座部取付要素には、張り地層が備えられることを特徴とする請求項１乃至１６のいずれか一項に記載の座部取付要素（１）。
【請求項１８】
前記座部取付要素は、可動部（５，６，７）及び該可動部（５，６，７）の動作を妨げる取り外し要素を含むことを特徴とする請求項１乃至１７のいずれか一項に記載の座部取付要素（１）。
【請求項１９】
座席に装着する座部取付システムであって、請求項１乃至１８のいずれか一項に記載の座部取付要素と、複数の様々な機能性要素（２５〜２７、３０〜３２）を含み、該複数の様々な機能性要素に属すると共に、所定レベルの装備に基づいて選択される機能性要素は、該座部取付要素（１）の受け部（１２〜２１、３３）に受け入れられ得ることを特徴とする座部取付システム。
【請求項２０】
前記複数の様々な機能性要素は、マッサージ要素（３１）、加熱要素（３２）、換気要素（３０）、冷却要素、前記座部取付要素のアーチ形成部（５，６，７）の凸部を調整する機械式、電気式及び／又は空気圧式要素（２５，２６，２７）、及び／又は該座部取付要素（１）の側片（８，９，１０，１１）を調整する要素を含むことを特徴とする請求項１９に記載の座部取付システム。
【発明の詳細な説明】
【技術分野】
【０００１】
本発明は、座部取付要素及び座部取付要素を含む座部取付システムに関する。本発明は特に、とりわけ自動車の車両座席用座部取付要素及び座部取付システムに関する。
【背景技術】
【０００２】
現代の自動車の車両座席は、多くの様々な豪華な機能を含み得る。これらの周知の例としては、座席加熱システム、例えば特許文献１から知られるもの等、とりわけ背骨の湾曲部分における座席ブラケットの湾曲又は凸部を調整するアーチ形付与機構、又はマッサージ機能がある。
【０００３】
装備のレベルが異なる一種類の自動車が一般的に購入され得る。自動車では、とりわけ上記の豪華な要素は、様々な構成で座席に存在し、或いは省略されるかもしれない。この目的のために、様々な配線システム、サスペンションシステム等が、装備のレベルに応じて、特定の座席に必要とされる。従って、対応する車両座席を各装備レベルで利用可能にすることは、相対的に高価である。また、既存の座席は、特定の豪華な要素に必要とされる必須条件を提供しない恐れがあるので、その後の豪華な要素の追加は困難である。
【特許文献１】ＥＰ  ０  ４８５  ４８３  Ｂ１
【発明の開示】
【発明が解決しようとする課題】
【０００４】
従って、本発明の目的は、個々の機能、特に豪華な機能が簡単な方法で追加され得る座部取付要素、及び対応する座部取付システムを利用可能にすることにある。
【課題を解決するための手段】
【０００５】
本目的は、請求項１に記載の座部取付要素によって達成される。従属請求項は、座部取付要素及び座部取付要素を含む座部取付システムの有利な又は好適な例証実施形態を定義する。
【０００６】
本発明によれば、座席への装着用座部取付要素が利用でき、座部取付要素は、装着状態にある時に、座席ブラケット及び／又は座席の座面全域に実質的に亘り延在するように、寸法が決められる。本発明によれば、座部取付要素は、追加の座席機能を利用可能にする機能性要素を受け入れるための受け部を有する。座席ブラケット及び／又は座面の全域に亘り延在し、且つ機能性要素を受け入れる適切な受け部を有するこの種の座部取付要素が利用できるという事実によって、機能性要素は簡単な方法で、座席の所望点に付加され得る。
【０００７】
これらの状況下では、座部取付要素はとりわけ、着座した人体の輪郭に実質的に適応させられ得る。このようにして、座部取付要素は圧力を分散させるように作用する。適応形状によって、厚い張り地を座部取付要素に設ける必要がない。従って、より薄い層も可能となる。一方ではこれにより材料が節約され、他方では、例えばマッサージ要素として構成される機能性要素は、より薄い層を介してより良好に感じられ得る。
【０００８】
座部取付要素は、例えば、プラスチックの射出成形によって、一片に製造されてよい。座席ブラケット域に亘り、また座面域に亘り延在する座部取付要素の場合には、ヒンジ手段、例えば１個又は複数のフィルムヒンジが、座席ブラケット部及び座面部の間に載置されてもよい。
【０００９】
機能性要素を受け入れる受け部は、例えばアーチ形成要素を受け入れる受け部を含み、アーチ形成要素によって、座部取付要素の凸部又は湾曲を、例えば腰部分の特定の点に設定することができる。この目的のためにとりわけ、座部取付要素は平坦な要素、例えば板又は適切な点でアーチ形にされた縦方向及び横方向支柱を含む他の要素を含んでもよい。アーチ形成要素は更に、特に座席の使用者から離れる方を向く側において、アーチが形成されたこの要素に隣接するように載置されると共に、この要素にアーチを形成し或いは湾曲させる。更に例えば、より簡単な装備レベルでは、静止要素をアーチが形成される要素の隣に載置して、固定湾曲をもたらすことも可能である。
【００１０】
この目的のために、アーチ形成要素を受け入れる固定ガイド、例えばワイヤが、座部取付要素に存在してもよい。アーチ形成要素は更に、座部取付要素の所望点に凸部を生じさせるように、これらのワイヤによって移動させられる。
【００１１】
受け部はまた、加熱、冷却、及び換気要素を受け入れる受け部を含んでもよい。座席はこの種の要素によって、座部取付要素により冷却され又は加熱される。この目的のために、座部取付モジュールは好適には、加熱又は冷却空気が流通する空気ダクトを含む。これらの空気ガイドはとりわけ、座席の外側へ向かう開口を含んでもよい。
【００１２】
空気ガイドは既に座部取付要素に設けられているので、この種の加熱、冷却又は換気要素は、簡単な方法で取り付けられ或いは交換され得る。空気ガイドは、同時に座部取付要素を強化するのに役立つリブを含んでもよい。
【００１３】
受け部はまた、マッサージ要素の受け部を含んでもよい。この種のマッサージ要素用の受け部は、好適には、とりわけ肩及び背部分に載置される。
本発明に係る座部取付システムは、上述された座部取付要素を含むと共に、また対応する座席を所望の方法で装備するために必要とされる、座部取付要素に挿入され得る多くの様々な機能性要素を含む。この種の座部取付システムを伴い、様々なレベルの装備を備えた座席は簡単な方法で利用され、常に同じ座部取付要素を使用することが可能となる。
【００１４】
本発明を、添付の図面を参照すると共に、好適な例証実施形態の助けを得て、以下により詳細に説明する。
【発明を実施するための最良の形態】
【００１５】
図１は、本発明に係る座部取付要素の斜視前面視を示しており、本発明に係る座部取付システムの基本モジュールとして役立ち、以下により詳細に説明される。座部取付要素１は、ブラケット部２及び座面部３を含み、ブラケット部２及び座面部３は、ヒンジ４によって連結される。座部取付要素１は好適には、例えば射出成形によって、プラスチックから製造される。この場合、ヒンジ４は好適には、フィルムヒンジ又は幾つかのフィルムヒンジの連続であり、ブラケット部２の座面部３と相対的な傾斜角度を設定することができる。しかしながら、ブラケット部２及び座面部３を別個の部品として製造することも可能である。この場合、ブラケット部２及び座面部３をヒンジによって連結することは必ずしも必要ではなく、対照的に、ブラケット部２及び座面部３は、座席の対応する部分に別々に装着されてもよい。本発明に係る座部取付要素の機能性が座席のブラケット又は座面のみで必要とされるならば、当然のことながら、対応する部分のみを利用可能とすることが必要である。
【００１６】
座部取付要素１は座席への装着を目的とすると共に、特定の座席に座る車両の乗員を支持するように整形され、即ち座部取付要素は、着座する身体の形状に人間工学的に適応させられる。とりわけこの目的のために、腰部アーチ形成板６が腰部分に設けられ、肩部アーチ形成板７が肩／首部分に設けられ、且つ座席アーチ形成板５が座面部３に設けられる
。座席の様々な部分又は区分において、各々１個以上のアーチ形成板、例えば２個以上の座席アーチ形成板を設けることも可能であり、或いは個々のアーチ形成板が省略されてもよい。これらのアーチ形成板によって、身体の対応する部分は適当な方法で支持され得る。以下により詳細に説明するように、アーチ形成板５〜７はまた、凸部が調整可能であるように、対応する調整機構に連結されてもよい。当然のことながら、ブラケット部２及び座面部３の両方に、必要に応じて図１の例に示すよりもより多くの又はより少ないアーチ形成板を設けることも可能であり、例えばアーチ形成板は胸部分に設けられてもよい。
【００１７】
座部取付要素１はまた、ブラケット部２に側片１０，１１を有すると共に、座面部３に側片８，９を有する。これらの側片は、座席に座る乗員に横方向の安定性を付与する。原則的に、この種の側片は、所謂「スポーツシート」から知られているが、他の座席に設けられてもよい。
【００１８】
座部取付要素１はまた、様々な機能性又は豪華な要素が受け入れられる複数の受け部１２〜２１を有する。この種の機能性要素は、例えばマッサージ要素、ファン、加熱要素等を含む。加熱要素及びファンの助けを得て、例えば空気を加熱し、且つその加熱空気を座席内に分散させることにより、乗員を暖めることが可能である。他方では、乗員を涼しくするために、環境から冷気を吸い込み、或いは冷却要素によって環境を冷却することも可能である。最後に、乗車の間に痙攣しがちな筋肉をリラックスさせるために、マッサージ要素によって使用者にマッサージを施すことが可能である。これは特に肩部分の場合であり、その結果、この種のマッサージ要素は、例えば受け部１８及び２０に収容され得る。更に、マッサージ要素の機能性は、例えば上記加熱インプットに結合され得、その結果、マッサージはこの加熱インプットと同時に生じる。この場合、加熱インプットは好適には、車内温度及び／又は外気温に基づいて設定され、或いは手動で調整される。受け部１２〜２１は、ユニバーサル様式で構成されることにより、様々な種類の機能性要素が受け入れられ、或いは特定の機能性要素に合わせて構成され得る。
【００１９】
他の機能性要素には、側片８〜１１の厚み又は位置を変化させることを目的として、受け部１２〜１５に挿入され得る要素が含まれる。この種の要素によって、側片は特定の乗員に適応させられ得、車両に対する乗車及び降車を目的として側片を平坦にすることが可能となり、これらの動作が容易となる。側片を調整するためのこの種の要素は、例えば膨張可能なガス袋によって実現されてよい。
【００２０】
また、ヒンジの適応後に、側片８〜１１及び座面部３又はブラケット部２の間に連結部を形成することが可能となり、側片８〜１１は、折り動作によって調整され得る。
既に述べたように、とりわけファン、加熱要素、又は冷却要素は、受け部１２〜２１に受け入れられ得、これらの機能の２又は３個を、例えば換気／加熱結合要素の形態をなす、単一モジュールに組み合わせることも可能である。適切な方法で、空気を座部取付要素内の所望点に導くために、空気ライン又は空気ガイドが好適には、座部取付要素１に設けられる。これは一例として図２に示されており、図２は図１のブラケット部２の背面視を示す。この場合、一例として、この種の換気要素が受け部１６及び１７に受け入れられ得ると想定される。図２に示すように、受け部１６及び１７から発出するように延出すると共に、腰部アーチ形成板１６のオリフィス２４に終端をなすように設けられる空気ガイド２２が設けられる。空気ガイド２２に対して横方向に延出する別のガイドによって、空気はまた、座部取付要素２の側方にある開口２３に向けられ得る。空気ガイド２２は例えば、座部取付要素２のダクト又はボアとして構成されてもよい。しかしながら、これらは好適には、平行に延出すると同時に、座部取付要素１又はブラケット部２を強化するように役立つリブによって形成される。
【００２１】
換気ユニットが今受け部１６及び１７に載置されるならば、空気は開口２４を通り腰部
アーチ形成板６に向けられ得、従って乗員の背部下側を冷却し、又は対応する加熱要素の場合には暖める。また、加熱空気はこの場合、乗員の側方も温めるために、開口２３を通り外側へ向けられ得る。これは特に、例えば燃料消費に関して非常に緩慢に温まる範囲で最適化されるディーゼルエンジン等の最近のエンジンの場合に有利であり、その効果としては、車両に属する通常の加熱システムのみが、かなり長時間の後に、温かい空気を供給する。温かい空気は、座部取付要素１に載置される加熱要素によって非常に迅速に発生させられ得ると共に、開口２３を介して乗員を暖めることができる。
【００２２】
図２に示す空気ガイドの配置は、一例としてのみ理解され得る。実質的により多くの空気ガイドを座部に設けるという更なる可能性もあり、また空気ガイドは、対応する換気、加熱又は冷却要素が他の受け部１２〜１２にも載置され得るように、これらの受け部から発出してもよい。また、座席下方は概ね相対的に涼しいので、空気ガイドは好適には、例えば空気を座席の下方位置から吸引するために設けられる。
【００２３】
同時に、座部取付要素１に、座席を通気させるための空気が空気ガイド２２を通り送り出されるように、座席にいる乗員の動作によって作動させられる受動ポンプ要素が設けられることも可能である。それ故、電気的に作動させられるファンがなくても、通気が可能である。
【００２４】
図３は、図１の座部取付要素１の斜視背面視を示しており、座部取付要素１は座席枠２８に固定された状態にある。また図３では、機能性要素が受け部１６〜２１に装着されているが、簡易化のために、図２の側片８〜１１並びに空気ガイドは図示されていない。
【００２５】
ここで、座席枠２８はブラケット部及び座面部から形成されており、各々は、座席の輪郭に沿って実質的に延出する管を含む。座席枠２８のブラケット部及び座面部は、ジョイント２９によって連結されており、座席ブラケットの座席座面と相対的な傾斜角度の設定が許容される。図３において、座部取付要素１は固定手段（図示なし）によって、座席枠２８に固定される。この目的のために、ブラケット、ねじ又はクリップ等のあらゆる種類の周知の固定手段が使用されてよい。この目的のために、座部取付要素１はまた、座席枠２８を全体的又は部分的に囲うように構成されてもよい。
【００２６】
図３に示すように、２本のワイヤ３３は、垂直方向に略平行に緊張させられており、座部取付要素１のブラケット部２に取り付けられる。ワイヤ２４は射出成形作用の間に、ブラケット部２に直接成形され、或いは例えばワイヤ２４をブラケット部２に留めることにより、ブラケット部２に固定されてもよい。ワイヤ３３もまた、座席アーチ形成板５及び肩部アーチ形成板７の凸部を調整することができるアーチ形成要素２５，２６のガイド及び受け部として作用する。或いは、アーチ形成要素はまた、図３に示すように、座席アーチ形成板５のアーチ形成要素２７の例を用いて、例えばねじ、フック又はクリップ等の他の方法で、座部取付要素１に固定されてもよい。この場合、アーチ形成要素２５，２６，２７は、例えば当初に述べた特許ＥＰ  ０  ４８５  ４８３号に従って作用してもよく、ここでは、全体圧力要素の２個の対向配置端部は、全体圧力要素の凸部を設定するために、互いに上方へ移動させられる。この場合、全体圧力要素は、板状に整形され、或いは縦及び横方向支柱形状に構成されてもよい。特定のアーチ形成要素に設定され得る凸部は、特定のアーチ形成板５，６，７の凸部を設定するために、圧力又は張力によって、アーチ形成板５，６，７に伝達され得る。ワイヤ或いは他のガイド要素を用いることによって、とりわけワイヤ３３に沿ったアーチ形成要素２６の垂直方向位置を調整することが可能となり、その結果、凸部の角度に加えて、凸部の垂直方向位置も設定され得る。アーチ形成要素２５，２６，２７を作動させるために必要なアクチュエータは、アーチ形成要素に直接統合させられてもよく、そのような状況下では、電気式アクチュエータの場合には、例えばアーチ形成要素を座席に組み込む場合に、いかなる配線をも実行する必要がないよう
に、適当な配線が既に座部取付要素１に統合されていてもよい。電気式アクチュエータに代えて、同様に座部取付要素１に任意で設けられて、例えば回転ノブを作動させることにより乗員によって生じさせられる調整動作を、特定のアーチ形成要素に伝達する軸を介して、力の伝達が行われるアクチュエータも可能であると考えられる。更に、例えばガス袋、例えば空気ポケットの膨張の結果として凸部の角度差がもたらされる空気圧式アーチ形成要素を設けることも可能である。
【００２７】
ワイヤ３３に加えて又は代えて、適当な厚みの他のワイヤが座部取付要素１に設けられてもよく、このワイヤは座部取付要素１に所望形状を付与し、或いはその形状を安定させる。ワイヤはまた、アーチ形成要素２６を案内するために、他の方法で用いられてもよい。
【００２８】
示される好適な例証実施形態の利点の一つとしては、アーチ形成要素２５，２６，２７は座席の後ろ側、即ち座席使用者から離れる方を向く側に載置されており、一方調整可能なアーチ形成システムを備えた従来の座席では、対応する調整要素が通常座席の硬質内部構造体及び使用者に向く側の張り地の間に載置される。示される例証実施形態では、座席面上にいる使用者によって生じさせられる圧力は、座部取付要素１によって吸収され且つ均一に分散させられる。他方で、アーチ形成要素２５，２６，２７は、避けられた側から固定装着されたアーチ形成板で作用し、同様な事実は、均一な圧力分散を可能にする。
【００２９】
それ故とりわけ、アーチ形成要素の構成に拘わらず、圧力が常に座部取付要素１によって分散させられ、その結果、アーチ形成要素の種類及び構成は、実質的に座席の動作が変化することなく変更させられ得る。例えば、示される機械式アーチ形成要素は、既に述べた空気圧式アーチ形成要素に置き換えられてもよく、例えば使用者が関係する範囲で、座席の動作が実質的に変化することなく、凸部をもたらすために、ガス袋又は空気ポケットに空気が充填される。他方では、従来の空気圧式システムでは、この種の空気ポケットは、座席の発泡部又は張り地部を圧迫して、局所的に制限される圧力のみを作用させることができる。
【００３０】
この種の空気圧式アーチ形成要素が設けられるならば、この空気圧式アーチ形成要素、或いは他の空気圧式調整要素でさえも、座部取付要素に直接取り付けられてもよい。これが生じる方法としては、とりわけ、空気圧式調整要素が座部取付要素１の面を上記空気ポケットの壁の一つとして使用する。他の可能性としては、内在気密空気ポケットのこの座部取付要素への固定取り付けである。
【００３１】
図３において、必要であれば空気を暖め、且つ図３には図示されていないが図２には図示されている空気ガイドを介して、通気目的でその空気を分散させることが可能な換気／加熱要素は、一例として図１の受け部１６及び１７に受け入れられる。受け部１８及び２０の肩部分には、例えば肩部分にマッサージを施すことができるマッサージ要素３１が設けられる。また、受け部１９及び２１には、この場合、空気を循環させることなく単に暖機をもたらす加熱要素３２が設けられてもよい。これに関連して、機能性要素３０〜３２は、単に一例として理解されるものであり、他の機能性要素も必要に応じて使用されてよい。特に制御及び電力供給を目的とし、機能性要素３０〜３２に必要とされる配線は、好適には同様に、既に座部取付要素１に設けられており、その結果、簡単な変換又は組み付けが可能となる。
【００３２】
これに関連して言及されるが、アーチ形成要素２５，２６，２７は、凸部が正しいテンポで変化させられることによって、マッサージ機能をもたらすことも可能である。
従って、簡単な方法で、基本モジュールとして作用する座部取付要素１、及び追加モジュールとして作用する機能性要素２５〜２７並びに３０〜３２を備えた本発明に係る座部
取付システムの助けを得て、モジュール的に異なるレベルの装備を実現することが可能となる。これに関連して、個々の受け部が特定レベルの装備に必要とされず、また様々な種類や質の機能性要素（機械式又は電気式に作動させられるもの、より多くの又はより少ない可能な調整を伴うもの等）が設けられるならば、個々の受け部がいかなる機能性要素も含まないことも可能である。また、固定された即ち固定式要素をアーチ形成要素２５〜２７に代えて適当な受け部に挿入して、アーチ形成板５〜６の弾性及び形状を予め固定的に決めることも可能であると考えられる。これに関して、アーチ形成板５，６，７等の可動部品を妨げるために、射出成形されるブリッジが、座部取付要素１に設けられることも可能である。特定の可動部品の調整可能性が得られる、対応する座席のそのような変形では、これらのブリッジは更に、例えば破損させることにより取り外される。
【００３３】
機能性要素のための受け部はまた、示唆されるそれら以外の点に設けられてもよい。例えばアーチ形成要素として、又は図１からの側片８〜１１の調整要素として空気圧式調整要素が設けられるならば、これらのための適当な空気ガイドが座部取付要素１に設けられてもよい。
【００３４】
座部取付要素１は、従来の座席張り地と組み合わされてもよい。この場合、座部取付要素１全体はまた、張り地を形成し、更にユニットとして座席枠２８に取り付けられるように、発泡体によって直接覆われてもよい。しかしながら、この張り地はまた、他の方法によって、座部取付要素１に直接的又は間接的に取り付けられてもよい。しかしながら、座部取付要素１は好適には身体形状に良好に適応させられ、それ故それ自体が満足のいく圧力分散をもたらすように構成されるので、うすい張り地のみ又は他の層、例えば適当なフェルト又は発泡体層を設けることも可能である。この結果として、一方では材料が節約され、他方ではマッサージ要素の作用がより効果的となる。
【００３５】
注意すべきであるが、座部取付要素の個々の要素、例えばアーチ形成板又は他の構造的要素は、座部取付要素の残り部分とは独立して、例えばワイヤメッシュ等の他の材料から製造されてもよい。この種の付加的な特徴は更に、例えば上記アーチ形成要素等の動作発生要素を有してもよい。これら独立して製造された要素は、更に同様に、座部取付要素の一部を形成する。
【００３６】
上述したように、座部取付要素１は好適には、射出成形によって、プラスチックから製造される。しかしながら、例えば人間の身体形状に対応するように輪郭が形成されると共に、同時にアーチ形成要素、ファン等の他の構成要素のために据え付けられ、或いは直接的に射出成形される装備を受け入れる、ワイヤを備えたワイヤマットのような他の材料、又は材料の組み合わせも可能であると考えられる。また座部取付要素は、例えばこの座部取付要素に据え付けられ、又は射出成形を囲うことによって固定され、或いは一般的な据え付け及び射出成形包囲の組み合わせで、この座部取付要素に一体化される座席枠等、概して座席の他の荷重支持構造体部分を含む。
【図面の簡単な説明】
【００３７】
【図１】本発明に係る座部取付要素を示す斜視前面図。
【図２】図１の座部取付要素を示す背面図。
【図３】付加的な機能性要素を備えた図１の座部取付要素を示す斜視背面図。
【図１】
2008525071.tif 000003
【図２】
2008525071.tif 000004
【図３】
2008525071.tif 000005
【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
座席への装着用座部取付要素（１）であって、該座部取付要素（１）は、該座席に装着された状態にある時に、座席ブラケット及び／又は該座席の座面全域に亘り実質的に延在するように寸法が決められており、また該座部取付要素（１）は、付加的な座席機能を利用できるように、機能性要素（２５，２６，２７，３０，３１，３２）を受け入れる受け部（１２〜２１）、３３）を含み、
前記座部取付要素（１）は、少なくとも１個のアーチ形成部（５，６，７）を含み、該少なくとも１個のアーチ形成部（５，６，７）に隣接して、該アーチ形成部（５，６，７）の凸部を設定する機能性要素のための受け部（３３）が載置されることを特徴とする座部取付要素（１）。
【請求項２】
前記座部取付要素（１）は、人間工学的な圧力分散を利用できるように、着座した人間の形状に実質的に適応させられた形状を有することを特徴とする請求項１に記載の座部取付要素（１）。
【請求項３】
前記座部取付要素（１）はプラスチックから製造されることを特徴とする請求項１又は２に記載の座部取付要素（１）。
【請求項４】
前記座部取付要素（１）は、装着状態にある時に、実質的に前記座席ブラケット及び前記座席の座面全域に亘り延在すると共に、該座部取付要素（１）のブラケット部（２）及び該座部取付要素（１）の座面部（３）は、統合手段（４）によって連結されることを特徴とする請求項１乃至３のいずれか一項に記載の座部取付要素（１）。
【請求項５】
前記統合手段（４）は、フィルムヒンジを含むことを特徴とする請求項４に記載の座部取付要素（１）。
【請求項６】
前記少なくとも１個のアーチ形成部（５，６，７）は、前記座部取付部（１）の座面部分、腰部分、胸部分、及び／又は肩／首部分に載置されることを特徴とする請求項１乃至５のいずれか一項に記載の座部取付要素（１）。
【請求項７】
前記少なくとも１個のアーチ形成部（５，６，７）にアーチ形状を付与する機能性要素（２５，２６，２７）の受け部は、該少なくとも１個のアーチ形成部（６，５，７）にアーチ形状を付与する機能性要素（２５，２６，２７）を案内するガイド（３３）を含むことを特徴とする請求項１乃至６のいずれか一項に記載の座部取付要素（１）。
【請求項８】
前記ガイドは、前記機能性要素（２５，２６，２７）を案内するワイヤ（３３）を含むことを特徴とする請求項７に記載の座部取付要素（１）。
【請求項９】
前記座部取付要素（１）は、電流を供給し、及び／又は前記受け部に受け入れられ得る機能性要素を制御するための少なくとも１個の電線を含むことを特徴とする請求項１乃至８のいずれか一項に記載の座部取付要素（１）。
【請求項１０】
前記座部取付要素（１）は、少なくとも１個の空気ガイド（２２）を含むことを特徴とする請求項１乃至９のいずれか一項に記載の座部取付要素（１）。
【請求項１１】
前記少なくとも１個の空気ガイドは、通気目的用機能性要素（３０）の受け部（１６，１７）の少なくとも１個を、少なくとも１個の通気開口（２３，２４）に連結することを特徴とする請求項１０に記載の座部取付要素（１）。
【請求項１２】
前記少なくとも１個の通気開口（２３，２４）は、前記座部取付要素（１）の一方側に通気開口（２３）を含むことを特徴とする請求項１１に記載の座部取付要素（１）。
【請求項１３】
前記座部取付要素（１）は、前記少なくとも１個の空気ガイド（２２）に結合されると共に、座席上での乗員の動作に基づいて、空気を前記少なくとも１個の空気ダクト（２２）を介して送り出すように構成された受動ポンプ手段を含むことを特徴とする請求項１０乃至１２のいずれか一項に記載の座部取付要素（１）。
【請求項１４】
前記座部取付要素（１）は側片（８〜１１）を含むことを特徴とする請求項１乃至１３のいずれか一項に記載の座部取付要素（１）。
【請求項１５】
前記受け部は、前記側片（８〜１１）を調整する機能性要素の受け部を含むことを特徴とする請求項１４に記載の座部取付要素（１）。
【請求項１６】
前記座部取付要素には、張り地層が備えられることを特徴とする請求項１乃至１５のいずれか一項に記載の座部取付要素（１）。
【請求項１７】
前記座部取付要素は、可動部（５，６，７）及び該可動部（５，６，７）の動作を妨げる取り外し要素を含むことを特徴とする請求項１乃至１６のいずれか一項に記載の座部取付要素（１）。
【請求項１８】
座席に装着する座部取付システムであって、請求項１乃至１７のいずれか一項に記載の座部取付要素と、複数の様々な機能性要素（２５〜２７、３０〜３２）を含み、該複数の様々な機能性要素に属すると共に、所定レベルの装備に基づいて選択される機能性要素は、該座部取付要素（１）の受け部（１２〜２１、３３）に受け入れられ得ることを特徴とする座部取付システム。
【請求項１９】
前記複数の様々な機能性要素は、マッサージ要素（３１）、加熱要素（３２）、換気要素（３０）、冷却要素、前記座部取付要素のアーチ形成部（５，６，７）の凸部を調整する機械式、電気式及び／又は空気圧式要素（２５，２６，２７）、及び／又は該座部取付要
素（１）の側片（８，９，１０，１１）を調整する要素を含むことを特徴とする請求項１８に記載の座部取付システム。
【国際調査報告】
2008525071.tif 000006
2008525071.tif 000007
2008525071.tif 000008
2008525071.tif 000009